(57)【要約】      （修正有）【課題】突入電力を低減するとともに、３相交流電源において欠相があるか否かを特定することができる電源回路を提供する。【解決手段】電源回路１は、３相交流電源１０と、３相交流電源の電力を整流する整流回路２０と、整流回路の出力電圧を平滑化するコンデンサＣ１と、３相交流電源と整流回路とを接続する３つの相に対応する配線のそれぞれに直列に設けられる第１スイッチＳＷ２、第２スイッチＳＷ３、及び第３スイッチＳＷ４と、第１スイッチに並列に設けられる、直列接続された第４スイッチＳＷ１及び突入電流抑制回路Ｒ１と、第１スイッチ、第２スイッチ、第３スイッチ、及び、第４スイッチの開閉を制御し、コンデンサを満充電させる制御部４０と、第１スイッチ、第２スイッチ、第３スイッチ、及び、第４スイッチそれぞれの状態において、整流回路の出力電圧に基づいて、３相交流電源における欠相を判定する判定部５０と、を備える。【選択図】図１
2019106745.tif 000002
【特許請求の範囲】
【請求項１】
３相交流電源と、
前記３相交流電源の電力を整流する整流回路と、
前記整流回路の出力電圧を平滑化するコンデンサと、
前記３相交流電源と前記整流回路とを接続する３つの相に対応する配線のそれぞれに直列に設けられ、前記配線の接続と断線とを可能にする第１スイッチ、第２スイッチ、及び第３スイッチと、
前記第１スイッチに並列に設けられる、直列接続された第４スイッチ及び突入電流抑制回路と、
前記第４スイッチと、前記第２スイッチ及び前記第３スイッチの一方とを閉状態とし、前記第１スイッチと、前記第２スイッチ及び前記第３スイッチの他方とを開状態とする制御を行い、前記コンデンサを満充電させる制御部と、
制御部によって制御された前記第１スイッチ、前記第２スイッチ、前記第３スイッチ、及び、前記第４スイッチそれぞれの状態において、前記整流回路の出力電圧に基づいて、前記３相交流電源における欠相を判定する判定部と、
を備える電源回路。
【請求項２】
前記判定部は、
前記第４スイッチと、前記第２スイッチ及び前記第３スイッチの一方とが閉状態であり、前記第１スイッチと、前記第２スイッチ及び前記第３スイッチの他方とが開状態である場合に、前記第４スイッチに対応する相、及び、前記第２スイッチ及び前記第３スイッチの一方に対応する相についての欠損を判定する、
請求項１に記載の電源回路。
【請求項３】
前記判定部は、
前記第４スイッチと、前記第２スイッチ及び前記第３スイッチの一方とが開状態であり、前記第１スイッチと、前記第２スイッチ及び前記第３スイッチの他方とが閉状態である場合に、前記第１スイッチに対応する相、及び、前記第２スイッチ及び前記第３スイッチの他方に対応する相についての欠損を判定する、
請求項１または請求項２に記載の電源回路。
【請求項４】
３相交流電源と、前記３相交流電源の電力を整流する整流回路と、前記整流回路の出力電圧を平滑化するコンデンサと、前記３相交流電源と前記整流回路とを接続する３つの相に対応する配線のそれぞれに直列に設けられ、前記配線の接続と断線とを可能にする第１スイッチ、第２スイッチ、及び第３スイッチと、前記第１スイッチに並列に設けられる、直列接続された第４スイッチ及び突入電流抑制回路と、を備える電源回路による判定方法であって、
前記第４スイッチと、前記第２スイッチ及び前記第３スイッチの一方とを閉状態とし、前記第１スイッチと、前記第２スイッチ及び前記第３スイッチの他方とを開状態とする制御を行い、前記コンデンサを満充電させ、
制御された前記第１スイッチ、前記第２スイッチ、前記第３スイッチ、及び、前記第４スイッチそれぞれの状態において、前記整流回路の出力電圧に基づいて、前記３相交流電源における欠相を判定する、
電源回路による判定方法。
【請求項５】
３相交流電源と、前記３相交流電源の電力を整流する整流回路と、前記整流回路の出力電圧を平滑化するコンデンサと、前記３相交流電源と前記整流回路とを接続する３つの相に対応する配線のそれぞれに直列に設けられ、前記配線の接続と断線とを可能にする第１スイッチ、第２スイッチ、及び第３スイッチと、前記第１スイッチに並列に設けられる、直列接続された第４スイッチ及び突入電流抑制回路と、を備える電源回路のコンピュータに、
前記第４スイッチと、前記第２スイッチ及び前記第３スイッチの一方とを閉状態とし、前記第１スイッチと、前記第２スイッチ及び前記第３スイッチの他方とを開状態とする制御を行い、前記コンデンサを満充電させることと、
制御された前記第１スイッチ、前記第２スイッチ、前記第３スイッチ、及び、前記第４スイッチそれぞれの状態において、前記整流回路の出力電圧に基づいて、前記３相交流電源における欠相を判定することと、
を実行させるプログラム。
【発明の詳細な説明】
【技術分野】
【０００１】
本発明は、電源回路、制御方法及びプログラムに関する。
【背景技術】
【０００２】
電源回路の起動時には電荷が蓄積されていないコンデンサに過電流が流れることが知られている。この過電流は、一般的に、突入電流と呼ばれている。
特許文献１には、空気調和機における突入電流を制限する技術が記載されている。
【先行技術文献】
【特許文献】
【０００３】
【特許文献１】特開平４−１６１０９７号公報
【発明の概要】
【発明が解決しようとする課題】
【０００４】
ところで、３相交流電源から直流電力を生成する電源回路において、突入電力を低減するとともに、３相交流電源において欠相があるか否かを特定することのできる技術が求められている。
【０００５】
本発明は、上記の課題を解決することのできる電源回路、制御方法及びプログラムを提供することを目的としている。
【課題を解決するための手段】
【０００６】
本発明の第１の態様によれば、電源回路は、３相交流電源と、前記３相交流電源の電力を整流する整流回路と、前記整流回路の出力電圧を平滑化するコンデンサと、前記３相交流電源と前記整流回路とを接続する３つの相に対応する配線のそれぞれに直列に設けられ、前記配線の接続と断線とを可能にする第１スイッチ、第２スイッチ、及び第３スイッチと、前記第１スイッチに並列に設けられる、直列接続された第４スイッチ及び突入電流抑制回路と、前記第４スイッチと、前記第２スイッチ及び前記第３スイッチの一方とを閉状態とし、前記第１スイッチと、前記第２スイッチ及び前記第３スイッチの他方とを開状態とする制御を行い、前記コンデンサを満充電させる制御部と、制御部によって制御された前記第１スイッチ、前記第２スイッチ、前記第３スイッチ、及び、前記第４スイッチそれぞれの状態において、前記整流回路の出力電圧に基づいて、前記３相交流電源における欠相を判定する判定部と、を備える。
【０００７】
本発明の第２の態様によれば、第１の態様における電源回路において、前記判定部は、前記第４スイッチと、前記第２スイッチ及び前記第３スイッチの一方とが閉状態であり、前記第１スイッチと、前記第２スイッチ及び前記第３スイッチの他方とが開状態である場合に、前記第４スイッチに対応する相、及び、前記第２スイッチ及び前記第３スイッチの一方に対応する相についての欠損を判定するものであってもよい。
【０００８】
本発明の第３の態様によれば、第１の態様または第２の態様における電源回路において、前記判定部は、前記第４スイッチと、前記第２スイッチ及び前記第３スイッチの一方とが開状態であり、前記第１スイッチと、前記第２スイッチ及び前記第３スイッチの他方とが閉状態である場合に、前記第１スイッチに対応する相、及び、前記第２スイッチ及び前記第３スイッチの他方に対応する相についての欠損を判定するものであってもよい。
【０００９】
本発明の第４の態様によれば、電源回路による判定方法は、３相交流電源と、前記３相交流電源の電力を整流する整流回路と、前記整流回路の出力電圧を平滑化するコンデンサと、前記３相交流電源と前記整流回路とを接続する３つの相に対応する配線のそれぞれに直列に設けられ、前記配線の接続と断線とを可能にする第１スイッチ、第２スイッチ、及び第３スイッチと、前記第１スイッチに並列に設けられる、直列接続された第４スイッチ及び突入電流抑制回路と、を備える電源回路による判定方法であって、前記第４スイッチと、前記第２スイッチ及び前記第３スイッチの一方とを閉状態とし、前記第１スイッチと、前記第２スイッチ及び前記第３スイッチの他方とを開状態とする制御を行い、前記コンデンサを満充電させ、制御された前記第１スイッチ、前記第２スイッチ、前記第３スイッチ、及び、前記第４スイッチそれぞれの状態において、前記整流回路の出力電圧に基づいて、前記３相交流電源における欠相を判定する。
【００１０】
本発明の第５の態様によれば、プログラムは、３相交流電源と、前記３相交流電源の電力を整流する整流回路と、前記整流回路の出力電圧を平滑化するコンデンサと、前記３相交流電源と前記整流回路とを接続する３つの相に対応する配線のそれぞれに直列に設けられ、前記配線の接続と断線とを可能にする第１スイッチ、第２スイッチ、及び第３スイッチと、前記第１スイッチに並列に設けられる、直列接続された第４スイッチ及び突入電流抑制回路と、を備える電源回路のコンピュータに、前記第４スイッチと、前記第２スイッチ及び前記第３スイッチの一方とを閉状態とし、前記第１スイッチと、前記第２スイッチ及び前記第３スイッチの他方とを開状態とする制御を行い、前記コンデンサを満充電させることと、制御された前記第１スイッチ、前記第２スイッチ、前記第３スイッチ、及び、前記第４スイッチそれぞれの状態において、前記整流回路の出力電圧に基づいて、前記３相交流電源における欠相を判定することと、を実行させる。
【発明の効果】
【００１１】
本発明の実施形態による電源回路によれば、突入電力を低減するとともに、３相交流電源において欠相があるか否かを特定することができる。
【図面の簡単な説明】
【００１２】
【図１】本発明の一実施形態による電源回路の構成を示す図である。
【図２】本発明の一実施形態による制御部が出力する制御信号を示す図である。
【図３】本発明の一実施形態による電源回路の処理フローを示す第１の図である。
【図４】本発明の一実施形態による電源回路の処理フローを示す第２の図である。
【図５】少なくとも１つの実施形態に係るコンピュータの構成を示す概略ブロック図である。
【発明を実施するための形態】
【００１３】
＜実施形態＞
以下、本発明の一実施形態による電源回路の構成について説明する。
本発明の一実施形態による電源回路１は、起動時に電源回路１内部に流れる過電流の最大電流を低減し、定常時には３相交流電源から直流電圧を生成する回路である。電源回路１は、図１に示すように、３相交流電源１０、整流回路２０、平滑回路３０、制御部４０、判定部５０、抵抗Ｒ１（突入電流抑制回路の一例）、スイッチＳＷ１、ＳＷ２、ＳＷ３、ＳＷ４を備える。電源回路１の起動時には、コンデンサＣ１を充電する経路に電流が流れる。
【００１４】
３相交流電源１０は、位相が１２０度ずつ異なるＲ相、Ｓ相、Ｔ相の３つの交流電圧を出力する。３相交流電源１０は、Ｒ相の出力端子であるＲ端子、Ｓ相の出力端子であるＳ端子、Ｔ相の出力端子Ｔ端子を備える。
整流回路２０は、Ｒ相、Ｓ相、Ｔ相の３つの交流電圧を受け、受けた交流電圧を整流する。整流回路２０は、例えば、図１に示すように、ダイオードＤ１、Ｄ２、Ｄ３、Ｄ４、Ｄ５、Ｄ６を備える。ダイオードＤ１、Ｄ２、Ｄ３、Ｄ４、Ｄ５、Ｄ６のそれぞれは、アノード端子、カソード端子を備える。
【００１５】
ダイオードＤ１のカソード端子は、ダイオードＤ３のカソード端子、ダイオードＤ５のカソード端子、リアクトルＬ１の第１端子に接続される。
ダイオードＤ２のアノード端子は、ダイオードＤ４のアノード端子、ダイオードＤ６のアノード端子、コンデンサＣ１の第１端子に接続される。
コンデンサＣ１の第２端子は、リアクトルＬ１の第２端子に接続される。
【００１６】
平滑回路３０は、整流回路２０が出力する整流後の電圧を平滑化する。平滑回路３０は、コンデンサＣ１、リアクトルＬ１を備える。コンデンサＣ１、リアクトルＬ１のそれぞれは、第１端子、第２端子を備える。
【００１７】
制御部４０は、スイッチＳＷ１、ＳＷ２、ＳＷ３、ＳＷ４のそれぞれを、オン状態またはオフ状態にする制御を行う。
判定部５０は、コンデンサＣ１の端子間電圧に基づいて、３相交流電源１０の欠相を判定する。
【００１８】
抵抗Ｒ１は、電源回路１の起動時に電源回路１の内部を流れ、一般的に「突入電流」と呼ばれる過電流の最大電流を低減させる抵抗である。抵抗Ｒ１は、第１端子、第２端子を備える。
【００１９】
スイッチＳＷ１、ＳＷ２、ＳＷ３、ＳＷ４のそれぞれは、第１端子、第２端子を備える。
Ｒ端子は、スイッチＳＷ１の第１端子、スイッチＳＷ２の第１端子に接続される。Ｓ端子は、スイッチＳＷ３の第１端子に接続される。Ｔ端子は、スイッチＳＷ４の第１端子に接続される。
【００２０】
スイッチＳＷ１の第２端子は、抵抗Ｒ１の第１端子に接続される。スイッチＳＷ２の第２端子は、ダイオードＤ１のアノード端子、抵抗Ｒ１の第２端子に接続される。スイッチＳＷ３の第２端子は、ダイオードＤ３のアノード端子、ダイオードＤ４のカソード端子に接続される。スイッチＳＷ４の第２端子は、ダイオードＤ５のアノード端子、ダイオードＤ６のカソード端子に接続される。
【００２１】
なお、コンデンサＣ１の第２端子は、電源回路１の端子Ｔ１である。コンデンサＣ１の第１端子は、電源回路１の端子Ｔ２である。電源回路１は、定常時に、端子Ｔ２を基準電位とする直流電圧を端子Ｔ１から出力する。
【００２２】
スイッチＳＷ１、ＳＷ２、ＳＷ３、ＳＷ４のそれぞれは、制御部４０による制御に基づいて、電源回路１の起動時には突入電流の最大電流を低減させるとともに、３相交流電源１０の欠相を判断できるように、オフ状態（開状態）またはオン状態（閉状態）となる。具体的には、図２に示すように、コンデンサＣ１が充電され満充電となるまでの期間Ｔ１では、制御部４０による制御に基づいて、スイッチＳＷ１、ＳＷ３のそれぞれはオン状態になっており、スイッチＳＷ２、ＳＷ４のそれぞれはオフ状態となっている。この期間Ｔ１に、判定部５０はＲ相とＳ相の欠相を判定する。また、コンデンサＣ１が満充電となった後の期間Ｔ２では、制御部４０による制御に基づいて、スイッチＳＷ１、ＳＷ３のそれぞれはオフ状態となっており、スイッチＳＷ２、ＳＷ４のそれぞれはオン状態となっている。この期間Ｔ２に、判定部５０は、Ｒ相とＴ相の欠相を判定する。そして、運転開始後の期間Ｔ３では、制御部４０による制御に基づいて、スイッチＳＷ１はオン状態またはオフ状態となっており、スイッチＳＷ２、ＳＷ３、ＳＷ４のそれぞれはオン状態となっている。
【００２３】
次に、本発明の一実施形態による電源回路１の処理について図３、図４を用いて説明する。
なお、電源回路１の起動前のスイッチＳＷ１、ＳＷ２、ＳＷ３、ＳＷ４のそれぞれは、オフ状態（開状態）である。また、電源回路１の起動前には、コンデンサＣ１に電荷は蓄積されていないものとする。
【００２４】
電源回路１の起動時に、制御部４０は、スイッチＳＷ１、ＳＷ３のそれぞれを、オフ状態からオン状態に切り替える（ステップＳ１）。
スイッチＳＷ１、ＳＷ３のそれぞれがオン状態になると、Ｒ相とＳ相との間で電流経路が形成される。
電源回路１の起動時に流れる電流は、Ｒ端子における電位がＳ端子における電位よりも高い場合と、Ｓ端子における電位がＲ端子における電位よりも高い場合とで異なる。
以下、Ｒ端子における電位がＳ端子における電位よりも高い場合と、Ｓ端子における電位がＲ端子における電位よりも高い場合のそれぞれについて、電源回路１を流れる電流を説明する。
【００２５】
（Ｒ端子における電位がＳ端子における電位よりも高い場合）
まず、Ｒ端子における電位がＳ端子における電位よりも高い場合について、電源回路１を流れる電流を説明する。
Ｒ端子における電位がＳ端子における電位よりも高い場合、電源回路１の起動時に、制御部４０がスイッチＳＷ１、ＳＷ３のそれぞれをオフ状態からオン状態に切り替えると、Ｒ端子、スイッチＳＷ１、抵抗Ｒ１、ダイオードＤ１、リアクトルＬ１、コンデンサＣ１、ダイオードＤ４、スイッチＳＷ３、Ｓ端子を介して３相交流電源１０を通る第１充電経路が形成される。
ここで、Ｒ端子、スイッチＳＷ１、ダイオードＤ１、リアクトルＬ１、コンデンサＣ１、ダイオードＤ４、スイッチＳＷ３、Ｓ端子、３相交流電源１０のそれぞれが理想素子であると仮定する。理想素子とは、インピーダンスが無視できる程度に小さくほぼ０オームであり無限大の電流を流すことのできる素子のことである。ただし、ダイオードは、オフセット電圧として順方向電圧ＶＦを有する。
【００２６】
第１充電経路では、Ｒ端子、スイッチＳＷ１、ダイオードＤ１、リアクトルＬ１、コンデンサＣ１、ダイオードＤ４、スイッチＳＷ３、Ｓ端子、３相交流電源１０のそれぞれのインピーダンスは無視できる程度に小さくほぼ０オームである。そのため、第１充電経路のインピーダンスとしては、抵抗Ｒ１のインピーダンスが第１充電経路における他の素子のインピーダンスに比べて支配的になる。この抵抗Ｒ１によって、第１充電経路に流れる突入電流が低減される。
【００２７】
ここで、制御部４０がスイッチＳＷ１、ＳＷ３のそれぞれをオフ状態からオン状態に切り替えることにより、第１充電経路が形成されている期間を期間Ｔ１とすると、判定部５０は、期間Ｔ１において、コンデンサＣ１の端子間電圧に基づいて、３相交流電源１０のＲ相とＳ相の欠相を判定する。具体的には、判定部５０は、Ｔ２端子における電位を基準としたＴ１端子の電位と、コンデンサＣ１が充電されていることを示す第１の所定電位とを比較する（ステップＳ２）。判定部５０は、Ｔ２端子における電位を基準としたＴ１端子の電位が、第１の所定電位以上であるか否かを判定する（ステップＳ３）。
【００２８】
判定部５０は、Ｔ１端子の電位が第１の所定電位未満であると判定した場合（ステップＳ３においてＮＯ）、コンデンサＣ１が充電されない、すなわち、第１充電経路に断線があり、Ｒ相またはＳ相が欠相していると判定する（ステップＳ４）。そして、判定部５０は、例えば、表示部に表示するなどして、Ｒ相またはＳ相が欠相していることを報知する（ステップＳ５）。判定部５０は、処理を終了する。
【００２９】
また、判定部５０は、Ｔ１端子の電位が第１の所定電位以上であると判定した場合（ステップＳ３においてＹＥＳ）、コンデンサＣ１が充電されている、すなわち、第１充電経路に欠相がない（断線がない）と判定する。判定部５０が第１充電経路に欠相がないと判定しＴ１端子における電位が一定になった場合（すなわち、コンデンサＣ１が満充電となった場合）、制御部４０は、スイッチＳＷ１、ＳＷ３のそれぞれをオン状態からオフ状態に切り替え、スイッチＳＷ２、ＳＷ４のそれぞれをオフ状態からオン状態に切り替える（ステップＳ６）。
スイッチＳＷ１、ＳＷ３のそれぞれがオフ状態になり、スイッチＳＷ２、ＳＷ４のそれぞれがオン状態になると、Ｒ相とＴ相との間で電流経路が形成される。
このとき、電源回路１に流れる電流は、Ｒ端子における電位がＴ端子における電位よりも高い場合と、Ｔ端子における電位がＲ端子における電位よりも高い場合とで異なる。
【００３０】
（Ｒ端子における電位がＴ端子における電位よりも高い場合）
まず、Ｒ端子における電位がＴ端子における電位よりも高い場合について説明する。
Ｒ端子における電位がＴ端子における電位よりも高い場合、Ｒ端子、スイッチＳＷ２、ダイオードＤ１、リアクトルＬ１、コンデンサＣ１、ダイオードＤ６、スイッチＳＷ４、Ｔ端子を介して３相交流電源１０を通る第２充電経路が形成される。
ここで、Ｒ端子、スイッチＳＷ２、ダイオードＤ１、リアクトルＬ１、コンデンサＣ１、ダイオードＤ６、スイッチＳＷ４、Ｔ端子、３相交流電源１０のそれぞれが理想素子であると仮定する。
第２充電経路では、Ｒ端子、スイッチＳＷ２、ダイオードＤ１、リアクトルＬ１、コンデンサＣ１、ダイオードＤ６、スイッチＳＷ４、Ｔ端子、３相交流電源１０のそれぞれのインピーダンスは無視できる程度に小さくほぼ０オームである。そのため、第２充電経路のインピーダンスは、無視できる程度に小さくほぼ０オームである。
【００３１】
ここで、制御部４０がスイッチＳＷ１、ＳＷ３のそれぞれをオン状態からオフ状態に切り替え、スイッチＳＷ２、ＳＷ４のそれぞれをオフ状態からオン状態に切り替えることにより、第２充電経路が形成されている期間を期間Ｔ２とすると、判定部５０は、期間Ｔ２において、コンデンサＣ１の端子間電圧に基づいて、３相交流電源１０のＲ相とＴ相の欠相を判定する。具体的には、判定部５０は、Ｔ２端子における電位を基準としたＴ１端子の電位と、コンデンサＣ１が満充電されていることを示す第２の所定電位とを比較する（ステップＳ７）。判定部５０は、Ｔ２端子における電位を基準としたＴ１端子の電位が、第２の所定電位以上であるか否かを判定する（ステップＳ８）。
【００３２】
判定部５０は、Ｔ１端子の電位が第２の所定電位未満であると判定した場合（ステップＳ８においてＮＯ）、コンデンサＣ１が満充電されない、すなわち、第２充電経路に断線があり、Ｒ相またはＴ相が欠相してコンデンサＣ１の電荷が放電されていると判定する（ステップＳ９）。そして、判定部５０は、例えば、表示部に表示するなどして、Ｒ相またはＴ相が欠相していることを報知する（ステップＳ１０）。判定部５０は、処理を終了する。
【００３３】
また、判定部５０は、Ｔ１端子の電位が第２の所定電位以上であると判定した場合（ステップＳ８においてＹＥＳ）、コンデンサＣ１が満充電されている、すなわち、第２充電経路に欠相がない（断線がない）と判定する。判定部５０が第２充電経路に欠相がないと判定した場合、制御部４０は、例えば、スイッチＳＷ３をオフ状態からオン状態に切り替えて、運転を開始する（ステップＳ１１）。制御部４０は、処理を終了する。
【００３４】
（Ｔ端子における電位がＲ端子における電位よりも高い場合）
次に、Ｔ端子における電位がＲ端子における電位よりも高い場合について説明する。なお、Ｔ端子における電位がＲ端子における電位よりも高い場合の電流経路は、Ｒ端子における電位がＴ端子における電位よりも高い場合の電流経路と異なる。しかしながら、電源回路１の処理としては、図３に示す処理フローとなる。
Ｔ端子における電位がＲ端子における電位よりも高い場合、Ｔ端子、スイッチＳＷ４、ダイオードＤ５、リアクトルＬ１、コンデンサＣ１、ダイオードＤ２、スイッチＳＷ２、Ｒ端子を介して３相交流電源１０を通る第３充電経路が形成される。
ここで、Ｔ端子、スイッチＳＷ４、ダイオードＤ５、リアクトルＬ１、コンデンサＣ１、ダイオードＤ２、スイッチＳＷ２、Ｒ端子、３相交流電源１０のそれぞれが理想素子であると仮定する。
第３充電経路では、Ｔ端子、スイッチＳＷ４、ダイオードＤ５、リアクトルＬ１、コンデンサＣ１、ダイオードＤ２、スイッチＳＷ２、Ｒ端子、３相交流電源１０のそれぞれのインピーダンスは無視できる程度に小さくほぼ０オームである。そのため、第３充電経路のインピーダンスは、無視できる程度に小さくほぼ０オームである。
【００３５】
ここで、制御部４０がスイッチＳＷ１、ＳＷ３のそれぞれをオン状態からオフ状態に切り替え、スイッチＳＷ２、ＳＷ４のそれぞれをオフ状態からオン状態に切り替えることにより、第３充電経路が形成されている期間を期間Ｔ２とすると、判定部５０は、期間Ｔ２において、コンデンサＣ１の端子間電圧に基づいて、３相交流電源１０のＲ相とＴ相の欠相を判定する。具体的には、判定部５０は、Ｔ２端子における電位を基準としたＴ１端子の電位と、コンデンサＣ１が満充電されていることを示す第３の所定電位とを比較する（ステップＳ７）。判定部５０は、Ｔ２端子における電位を基準としたＴ１端子の電位が、第３の所定電位以上であるか否かを判定する（ステップＳ８）。
【００３６】
判定部５０は、Ｔ１端子の電位が第３の所定電位未満であると判定した場合（ステップＳ８においてＮＯ）、コンデンサＣ１が満充電されない、すなわち、第３充電経路に断線があり、Ｒ相またはＴ相が欠相してコンデンサＣ１の電荷が放電されていると判定する（ステップＳ９）。そして、判定部５０は、例えば、表示部に表示するなどして、Ｒ相またはＴ相が欠相していることを報知する（ステップＳ１０）。制御部４０は、処理を終了する。
【００３７】
また、判定部５０は、Ｔ１端子の電位が第３の所定電位以上であると判定した場合（ステップＳ８においてＹＥＳ）、コンデンサＣ１が満充電されている、すなわち、第３充電経路に欠相がない（断線がない）と判定する。判定部５０が第３充電経路に欠相がないと判定した場合、制御部４０は、例えば、スイッチＳＷ３をオフ状態からオン状態に切り替えて、運転を開始する（ステップＳ１１）。制御部４０は、処理を終了する。
【００３８】
（Ｓ端子における電位がＲ端子における電位よりも高い場合）
次に、Ｓ端子における電位がＲ端子における電位よりも高い場合について、電源回路１を流れる電流を説明する。
Ｓ端子における電位がＲ端子における電位よりも高い場合、電源回路１の起動時に、制御部４０がスイッチＳＷ１、ＳＷ３のそれぞれをオフ状態からオン状態に切り替えると、Ｓ端子、スイッチＳＷ３、ダイオードＤ３、リアクトルＬ１、コンデンサＣ１、ダイオードＤ２、抵抗Ｒ１、スイッチＳＷ１、Ｒ端子を介して３相交流電源１０を通る第４充電経路が形成される。
ここで、Ｓ端子、スイッチＳＷ３、ダイオードＤ３、リアクトルＬ１、コンデンサＣ１、ダイオードＤ２、抵抗Ｒ１、スイッチＳＷ１、Ｒ端子、３相交流電源１０のそれぞれが理想素子であると仮定する。理想素子とは、インピーダンスが無視できる程度に小さくほぼ０オームであり無限大の電流を流すことのできる素子のことである。ただし、ダイオードは、オフセット電圧として順方向電圧ＶＦを有する。
【００３９】
第４充電経路では、Ｓ端子、スイッチＳＷ３、ダイオードＤ３、リアクトルＬ１、コンデンサＣ１、ダイオードＤ２、スイッチＳＷ１、Ｒ端子、３相交流電源１０のそれぞれのインピーダンスは無視できる程度に小さくほぼ０オームである。そのため、第４充電経路のインピーダンスとしては、抵抗Ｒ１のインピーダンスが第４充電経路における他の素子のインピーダンスに比べて支配的になる。この抵抗Ｒ１によって、第４充電経路に流れる突入電流が低減される。
【００４０】
ここで、制御部４０がスイッチＳＷ１、ＳＷ３のそれぞれをオフ状態からオン状態に切り替えることにより、第４充電経路が形成されている期間を期間Ｔ１とすると、判定部５０は、期間Ｔ１において、コンデンサＣ１の端子間電圧に基づいて、３相交流電源１０のＲ相とＳ相の欠相を判定する。具体的には、判定部５０は、Ｔ２端子における電位を基準としたＴ１端子の電位と、コンデンサＣ１が充電されていることを示す第４の所定電位とを比較する（ステップＳ２１）。判定部５０は、Ｔ２端子における電位を基準としたＴ１端子の電位が、第４の所定電位以上であるか否かを判定する（ステップＳ２２）。
【００４１】
判定部５０は、Ｔ１端子の電位が第１の所定電位未満であると判定した場合（ステップＳ２２においてＮＯ）、コンデンサＣ１が充電されない、すなわち、第４充電経路に断線があり、Ｒ相またはＳ相が欠相していると判定する（ステップＳ２３）。そして、判定部５０は、例えば、表示部に表示するなどして、Ｒ相またはＳ相が欠相していることを報知する（ステップＳ２４）。判定部５０は、処理を終了する。
【００４２】
また、判定部５０は、Ｔ１端子の電位が第４の所定電位以上であると判定した場合（ステップＳ２２においてＹＥＳ）、コンデンサＣ１が充電されている、すなわち、第４充電経路に欠相がない（断線がない）と判定する。判定部５０が第４充電経路に欠相がないと判定しＴ１端子における電位が一定になった場合（すなわち、コンデンサＣ１が満充電となった場合）、制御部４０は、スイッチＳＷ１、ＳＷ３のそれぞれをオン状態からオフ状態に切り替え、スイッチＳＷ２、ＳＷ４のそれぞれをオフ状態からオン状態に切り替える（ステップＳ２５）。
スイッチＳＷ１、ＳＷ３のそれぞれがオフ状態になり、スイッチＳＷ２、ＳＷ４のそれぞれがオン状態になると、Ｒ相とＴ相との間で電流経路が形成される。
このとき、電源回路１に流れる電流は、Ｒ端子における電位がＴ端子における電位よりも高い場合と、Ｔ端子における電位がＲ端子における電位よりも高い場合とで異なる。
なお、Ｒ端子における電位がＴ端子における電位よりも高い場合の処理は、上述したステップＳ７〜Ｓ１１の処理と同様である。また、Ｔ端子における電位がＲ端子における電位よりも高い場合の電流経路は、Ｒ端子における電位がＴ端子における電位よりも高い場合の電流経路と異なる。しかしながら、電源回路１の処理としては、図４に示す処理フローとなる。
【００４３】
以上、本発明の一実施形態による電源回路１について説明した。電源回路１において、制御部４０は、突入電流抑制回路の一例である抵抗Ｒ１が設けられた相と、他の１つの相のそれぞれに対応するスイッチを閉状態とし、残りのスイッチを開状態にする。判定部５０は、整流回路２０の出力電圧を平滑化するコンデンサＣ１の電圧に基づいて、閉状態のスイッチに対応する相の欠相を判定する。また、電源回路１において、制御部４０は、突入電流抑制回路の一例である抵抗Ｒ１が設けられた相と、他の１つの相のそれぞれに対応するスイッチを開状態とし、残りのスイッチを閉状態にする。判定部５０は、整流回路２０の出力電圧を平滑化するコンデンサＣ１の電圧に基づいて、閉状態のスイッチに対応する相の欠相を判定する。
制御部４０は、スイッチを制御して抵抗Ｒ１を介してコンデンサＣ１を充電する経路を構成することで、突入電流を低減する。そして、判定部５０は、コンデンサＣ１の両端子間の電圧に基づいて構成された経路について欠相を判定する。その後、制御部４０は、抵抗Ｒ１が設けられた相において抵抗Ｒ１１に並列に設けられたスイッチと、コンデンサＣ１を充電する経路を構成しなかった相に設けられたスイッチとを制御して電流が流れる経路を構成する。そして、判定部５０は、コンデンサＣ１の両端子間の電圧に基づいて構成された経路について欠相を判定する。
このようにすれば、電源回路１は、起動時の突入電流を低減することができるとともに、３相交流電源における欠相を判定することができる。
【００４４】
なお、本発明の一実施形態では突入電流抑制回路として抵抗を例に電源回路１を説明した。しかしながら、本発明の別の実施形態において、突入電流抑制回路はサーミスタであってもよい。
【００４５】
なお、本発明の一実施形態では、Ｒ相に突入電流抑制回路が設けられるものとして電源回路１を説明した。しかしながら、本発明の別の実施形態において、突入電流抑制回路はＳ相に設けられてもよい。その場合、上記説明において、Ｒ相をＳ相に、Ｓ相をＲ相に置き換え、または、Ｒ相をＳ相に、Ｓ相をＴ相に、Ｔ相をＲ相に置き換えて考えればよい。また、本発明の別の実施形態において、突入電流抑制回路はＴ相に設けられてもよい。その場合、上記説明において、Ｒ相をＴ相に、Ｔ相をＲ相に置き換え、または、Ｒ相をＴ相に、Ｔ相をＳ相に、Ｓ相をＲ相に置き換えて考えればよい。
【００４６】
なお、本発明の実施形態における処理は、適切な処理が行われる範囲において、処理の順番が入れ替わってもよい。
【００４７】
記憶部のそれぞれは、適切な情報の送受信が行われる範囲においてどこに備えられていてもよい。また、記憶部のそれぞれは、適切な情報の送受信が行われる範囲において複数存在しデータを分散して記憶していてもよい。
【００４８】
本発明の実施形態について説明したが、上述の制御部４０、判定部５０、その他の制御装置は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。コンピュータの具体例を以下に示す。
図５は、少なくとも１つの実施形態に係るコンピュータの構成を示す概略ブロック図である。
コンピュータ５は、図５に示すように、ＣＰＵ６、メインメモリ７、ストレージ８、インターフェース９を備える。
例えば、上述の制御部４０、判定部５０、その他の制御装置のそれぞれは、コンピュータ５に実装される。そして、上述した各処理部の動作は、プログラムの形式でストレージ８に記憶されている。ＣＰＵ６は、プログラムをストレージ８から読み出してメインメモリ７に展開し、当該プログラムに従って上記処理を実行する。また、ＣＰＵ６は、プログラムに従って、上述した各記憶部に対応する記憶領域をメインメモリ７に確保する。
【００４９】
ストレージ８の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、磁気ディスク、光磁気ディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）、半導体メモリ等が挙げられる。ストレージ８は、コンピュータ５のバスに直接接続された内部メディアであってもよいし、インターフェース９または通信回線を介してコンピュータ５に接続される外部メディアであってもよい。また、このプログラムが通信回線によってコンピュータ５に配信される場合、配信を受けたコンピュータ５が当該プログラムをメインメモリ７に展開し、上記処理を実行してもよい。少なくとも１つの実施形態において、ストレージ８は、一時的でない有形の記憶媒体である。
【００５０】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【００５１】
本発明のいくつかの実施形態を説明したが、これらの実施形態は、例であり、発明の範囲を限定しない。これらの実施形態は、発明の要旨を逸脱しない範囲で、種々の追加、省略、置き換え、変更を行ってよい。
【符号の説明】
【００５２】
１・・・電源回路
１０・・・３相交流電源
２０・・・整流回路
３０・・・平滑回路
４０・・・制御部
５０・・・判定部
Ｒ１・・・抵抗
Ｃ１・・・コンデンサ
Ｌ１・・・リアクトル
Ｄ１、Ｄ２、Ｄ３、Ｄ４、Ｄ５、Ｄ６・・・ダイオード
ＳＷ１、ＳＷ２、ＳＷ３、Ｓ４・・・スイッチ
【図１】
2019106745.tif 000003
【図２】
2019106745.tif 000004
【図３】
2019106745.tif 000005
【図４】
2019106745.tif 000006
【図５】
2019106745.tif 000007